(57)【要約】【課題】銃はそれが発砲する弾丸に特定の痕を残す。これらの痕を分析することによって、発砲された弾丸および銃が合うかどうか調査する際に、弾丸を真空力により保持すること。【解決手段】空気真空力を弾丸（１０１）へ及ぼすヘッド、真空ブッシング（１０８）およびこのブッシング内部の真空孔（１０３）、空気ホース継手（接合）（１０４）、保持動作に影響を及ぼさないごくわずかな量の空気漏れしか許容しない封止部材（１０５、１０６）、ならびにロール・モータハウジング（１０７）およびロール・モータ（１０９）アセンブリの軸のための隙間を備える、弾丸ホルダ・システム。【選択図】図１
2016504554.tif 000002
【特許請求の範囲】
【請求項１】
発砲された弾丸の施条痕の調査において用いられる、弾丸ホルダ・システムであって、
調査される弾丸は、真空力により保持される、弾丸ホルダ・システム。
【請求項２】
前記弾丸は、弾丸調査の対象である痕の調査を妨げないように、その円錐フロントエンド（２０１）から、真空力により保持される、請求項１に記載の弾丸ホルダ・システム。
【請求項３】
前記弾丸ホルダ・システムは調査される弾丸を真空力により保持し、施条痕を見ることを容易にするために弾丸を３６０度回転させる、請求項１に記載の弾丸ホルダ・システム。
【請求項４】
発砲された弾丸の施条痕の調査において用いられる弾丸ホルダ・システムであって、
ａ．空気真空力を弾丸（１０１）へ及ぼすヘッド、
ｂ．真空ブッシング（１０８）およびこのブッシング内部に設けた真空孔（１０３）、
ｃ．空気ホース継手（接合）（１０４）、
ｄ．保持動作に影響を及ぼさないごくわずかな量の空気漏れしか許容しない封止部材（１０５、１０６）、ならびに
ｅ．ロール・モータハウジング（１０７）およびロール・モータ（１０９）アセンブリの軸のための隙間、を備える、弾丸ホルダ・システム。
【請求項５】
前記真空力を弾丸に伝達するヘッドの内部構造は、円錐形の縮小した幾何学的構造を有し、半柔軟性の型（１０２）で被覆されている、請求項４に記載の弾丸ホルダ・システム。
【発明の詳細な説明】
【技術分野】
【０００１】
発砲された弾丸を銃と適合させることは、犯罪学研究における主要問題である。銃は、それが発砲した弾丸に特定の施条痕（mark）を残す。専門家はこれらの痕を分析することによって、発砲された弾丸および銃が合うかどうか決定できる。このため、この課題の解決において重視されている作業の１つは、この種の痕の視認を邪魔することのない保持具システムによって、正しく痕を分析するために適切な弾丸を保持することである。本発明は発砲された弾丸の痕の弾道分析において用いられる、真空の力で動く（vacuum powered）弾丸ホルダ・システムに関するものである。
【背景技術】
【０００２】
カートリッジおよび銃から発射される弾丸のさまざまな施条痕がマッチング技術を用いて分析される。目視により、または、デジタル化されたデータを使用して自動的に、発砲された弾丸の痕の分析およびマッチングがなされ、その結果正しい情報に達することが目的である。この目的のために、それが下に落ち(drop down)ないように、弾丸を保持することが必要である。発砲された弾丸の痕を分析するすでに開発された弾丸ホルダ・システムが存在する。
【０００３】
これらのシステムのひとつによれば（特許文献１参照）、発砲された弾丸の円錐フロントエンドは、水平面に存在するプーリーの棒に、粘着剤を用いて取り付けられる。このプーリーを使用して、発砲された弾丸の施条痕を分析するために回転(rolling)動作が行われる。
【０００４】
弾道の分析のためのカートリッジホルダ・システムについての他の特許があり（特許文献２参照）、異なる弾丸ホルダ・システムを教示する。この種のシステムは、押圧(squeeze)することによって、顕微鏡またはカメラの下で発砲された弾丸を保持する。弾丸は、その円錐フロントエンド（５６）から、空隙を有する型に入れられて、バネ・スティックによって、円筒状後端から押圧される。発砲された弾丸を配置した型の後に配置されるプーリー・システムによって、ローリング動作が行われる。
【０００５】
さらに、３Ｄ弾丸およびカートリッジ分析についての特許文献があり（特許文献３参照）、これによれば弾丸は、粘着性の材料を用いてその円錐フロントエンド（１２）から、型に取り付けられる。型はモータシャフトに装着された構造を備えている。ロール運動はこのモータにより達成される。弾丸は、その円錐フロントエンドから粘着性の材料を用いて型に保持される。
【０００６】
通常、これらの特許文献では、光軸に対して垂直に整列させ、円錐フロントエンドから粘着性の材料を用いて、または、２つの端から押圧することによって弾丸を保持して回転させている。先行技術において、粘着性の材料は発砲された弾丸を保持するために用いるとも述べられている。
【先行技術文献】
【特許文献】
【０００７】
【特許文献１】国際公開第WO 96/21137号明細書
【特許文献２】米国特許第 6,219,437 B1号明細書
【特許文献３】国際公開第WO 2006/015475 A1明細書
【発明の概要】
【発明が解決しようとする課題】
【０００８】
しかし、保持動作をするために空気の真空力（air vacuum power）を用いた弾丸ホルダ・システムは、先行技術においては、見受けられない。
【０００９】
本発明は、発砲された弾丸の施条痕を、痕の視認を妨げることなく適切に分析することを目的とするものであって、弾丸が分析の間落下せず、適切な分析を妨げる弾丸の不必要な動作を防止できる保持方法を提供する。
【課題を解決するための手段】
【００１０】
本発明によれば保持動作の間、発砲された弾丸の施条痕の視認は妨げられない。本発明は、空気真空力支持（air vacuum support）を有する一つのシステムを使用して、さまざまな口径を有する発砲された弾丸に対する保持動作を提供する。またそれは、わずかに歪んだ発砲された弾丸のほとんどを保持することが可能である。
【００１１】
本発明の他の局面では、システムに対するモータの統合したロールモータおよびピッチモータの動作によって、分析の間、発砲された弾丸のロールおよびピッチ動作を達成することができる。
【００１２】
本発明の方法によって動作するシステムなどの図が以下において示される。
【図面の簡単な説明】
【００１３】
【図１】弾丸ホルダ・システムを示す詳細図である。
【図２】弾丸を示す図である。
【発明を実施するための形態】
【００１４】
本発明は、円錐フロントエンド（２０１）において弾丸を保持して、弾丸ホルダ・システムに供給される空気真空力（air vacuum force）により弾丸を静かに維持して、施条痕（２０２）の迅速且つ容易な視覚化を可能とする。
【００１５】
本発明は弾丸ホルダ・システムに関係する。該システムは、弾丸が円錐フロントエンド側から保持され、空気真空力により静止された状態で弾丸をロールさせる。
【００１６】
真空力を弾丸へ移す弾丸ホルダ・システムの断面を、図１に示す。弾丸ホルダ・システムは、半柔軟性の型（mold）（１０２）を持った保持具ヘッド（１０１）と、第１の封止部材および第２の封止部材（１０５，１０６）と、空気ホース継手（１０４）と、真空孔（１０３）を有する本体とを備えている。
【００１７】
図２において、歪んでいない（non-deformed）弾丸が示されている。弾丸は円錐フロントエンド（２０１）と、典型的な施条痕（２０２）のついた円筒状後部部分とからなる。
【００１８】
空気真空力は、外部源によって発生する。半可とう性の空気ホース（それは組立を容易にするのに十分な可撓性を持ち、曲げを防止するのに十分な剛性を持つ）は、外部源から弾丸ホルダ・システムへ空気真空力を移す。
【００１９】
ホースは、弾丸ホルダ・システム上の空気ホース継手（１０４）に接続される。継手および真空ブッシング（１０８）の接続は封止される。ロール運動の間、空気浸入を最小化するために、真空ブッシング（１０８）は、第１の封止部材および第２の封止部材（１０５，１０６）を有する。
【００２０】
保持具ヘッド（１０１）は真空ブッシング（１０８）に入れられ、その位置で第１の封止部材および第２の封止部材（１０５，１０６）により保持される。保持具ヘッド（１０１）が回転するあいだ、可撓性ゴム密封要素は、真空力の減少を防止する。半柔軟性の材料（それはシリコン材料と類似している）が、成形されて（１０２）、保持具ヘッド（１０１）に入れられる。シリコン系材料ならびにいかなる柔らかい固体化学材料も、このシステムで用いられることが可能である。真空ブッシング（１０８）の中の真空孔（１０３）は、空気真空力を保持具ヘッドに配置される半柔軟性の型（１０２）まで伝達する。弾丸の円錐形前方部分（２０１）は、保持具ヘッド（１０１）の円錐の形の半柔軟性の型（１０２）に入れられて、空気真空力によって保たれる。
【００２１】
本発明により、歪んでいない、もしくはわずかに歪んだ弾丸を保持することが可能になる。有意な量の変形が存在する場合、特別な乳剤(mastic)が弾丸の円錐前方（２０１）に塗布され、これにより密封した封止を保持することが可能となる。
【００２２】
なお、光学センサまたはデジタル画像処理のセンサの下で分析すべき適切な構造のサンプルを、弾丸ホルダ・システムによって保持し回転させてもよい。これにより、サンプルを分析でき、または、ほんの少数の地点から画像を撮ることが可能となる。
【産業上の利用可能性】
【００２３】
本発明によれば、発砲された弾丸の施条痕の分析のための弾丸ホルダ・システムが提供される。それは、自律的なコンピュータを用いた弾丸ホルダ分析システムのデータ取得ステージにおける、発砲された弾丸の保持システムとして利用することができる。
【符号の説明】
【００２４】
101  保持具ヘッド
102  半柔軟性の型
103  真空孔
104  空気ホース継手（接合）
105  第１の封止部材
106  第２の封止部材
107  ロール・モータハウジング
108  真空ブッシング
109  ロール・モータ軸のためのすきま
201  円錐フロントエンド
202  典型的な施条痕
203  回転運動方向
204  光軸
205  弾丸の水平軸
【図１】
2016504554.tif 000003
【図２】
2016504554.tif 000004
【手続補正書】
【提出日】平成26年12月4日(2014.12.4)
【手続補正１】
【補正対象書類名】特許請求の範囲
【補正対象項目名】全文
【補正方法】変更
【補正の内容】
【特許請求の範囲】
【請求項１】
発砲された弾丸の施条痕の調査において用いられ、真空力によって発砲された弾丸を保持する弾丸ホルダ・システムであって、
（ａ）空気真空力を弾丸へ及ぼす保持具ヘッド（１０１）、
（ｂ）真空ブッシング（１０８）およびこのブッシングの中のバキューム孔（１０３）、
（ｃ）空気ホース継手（１０４）、
（ｄ）可撓性ゴム密封要素の形状を有し、保持動作に影響を及ぼさないごくわずかな量の空気漏れしか許容しない封止部材（１０５、１０６）、ならびに
（ｅ）ロール・モータハウジング（１０７）およびロール・モーター（１０９）アセンブリの軸のための隙間、を備える弾丸ホルダ・システム。
【請求項２】
前記弾丸は、弾丸調査の対象である痕の調査を妨げないように、その円錐フロントエンド（２０１）から、真空力により保持される、請求項１に記載の弾丸ホルダ・システム。
【請求項３】
前記弾丸ホルダ・システムは調査される弾丸を真空力により保持し、施条痕を見ることを容易にするために弾丸を３６０度回転させる、請求項１に記載の弾丸ホルダ・システム。
【請求項４】
前記真空力を弾丸に伝達するヘッドの内部構造は、円錐形の縮小した幾何学的構造を有し、半柔軟性の型（１０２）で被覆されている、請求項１に記載の弾丸ホルダ・システム。
【国際調査報告】
2016504554.tif 000005
2016504554.tif 000006
2016504554.tif 000007